(57)【要約】【課題】  皮膚に水を一定の圧力以上に噴射して肌をケアし、それと同時に、肌に触れた後の水を水吸収体を利用して、集めて、これを再吸入できるようにする。【解決手段】  ウォータージェットタイプスキンケア装置用ハンドピースが提供される。上記のハンドピースは中が空からである取っ手型のケース３１と；上記ケース３１の内部から上記のケース３１の前方に突出延長されたノズル本体３２と；上記のノズル本体３２に結合される皮膚接触管３３と；上記の皮膚接触管３３内の空間から、上記のノズル本体３２の全方面と接するように設置された中空型の水吸収体３４を含み、上記のノズル本体３２は、中央に形成された水の噴射通路３２２と、外郭に形成された複数の水の吸収通路３２４を具備し、上記の水吸収体３４の中空内側から、上記の水の噴射通路３２２の先端に接続されて、上記の水の吸収通路３２４は、上記の中空型の水吸収体３４と接している。【選択図】図１
2015188756.tif 000002
【特許請求の範囲】
【請求項１】
肌を水で叩いてケアするウォータージェットタイプのスキンケア装置用ハンドピースとして、
ケース；
上記のケースの内部から上記のケースの前方に突出延長されたノズル本体；
上記のノズル本体に結合され、上記の肌をケアする時、上記の肌に接触する端部面を持つ皮膚接触管；及び
上記の皮膚接触管内の空間において、上記のノズル本体の全方面と接することができるように設置された中空型水吸収体を含め、
上記のノズル本体は、中央に形成された水の噴射通路と、外郭に形成された複数の水の吸収通路を具備し、
上記の水吸収体の中空内側が上記の水の噴射通路と通じていて、
上記の水の吸収通路は、上記の水吸収体の後方面と接しており、
上記の皮膚接触管は、上記の水吸収体の前面を過ぎて延長され、上記の水吸収体の前面と上記の皮膚接触管の端部面の間に空いた空間を限定し、
上記の水の噴射通路を通じて噴射されて上記の肌をたたいた水は、上記の空いた空間から、上記の水吸収体に吸収され、上記の水吸収体に吸収された水はポンプ駆動による吸引力によって上記水の吸収通路を通じて吸入されることを特徴とするウォータージェットタイプスキンケア装置用ハンドピース。
【請求項２】
上記の皮膚接触管は、上記ノズル本体の外周面に分離可能に結合されることを特徴とする請求項１に記載のウォータージェットタイプスキンケア装置用ハンドピース。
【請求項３】
上記のケースは前方がオープンされたケース本体と、リング型固定部によって上記ケース本体の前方に結合されるケース・キャップを含み、
上記ケース本体の内周面にはＰＣＢ固定ホームが形成され、
上記ＰＣＢ固定ホームによって、環形ＰＣＢが上記のケース本体の内側面に結合され、
上記環形ＰＣＢ上には複数のＬＥＤが実装され、上記ケース・キャップは、上記ＬＥＤから放射された光を透過するように透光性素材で形成されたのを特徴とする請求項１に記載のウォータージェットタイプスキンケア装置用ハンドピース。
【請求項４】
上記複数のＬＥＤは黄色のＬＥＤであることを特徴とする請求項３に記載のウォータージェットタイプスキンケア装置用ハンドピース。
【発明の詳細な説明】
【技術分野】
【０００１】
本発明はウォータージェットタイプのスキンケア装置用ハンドピースに関するものとして、もっと詳しくは、水を肌に噴射する方式で肌をケアすると同時に、肌に噴射された水をすぐに吸引して回収できるウォータージェットタイプスキンケア装置用ハンドピースに関するものである。
【背景技術】
【０００２】
人は年取りによって顔面皮膚の弾力を失うことになりしわやたるみができる。このため、肌の弾力を維持するため、様々な種類の機能性化粧品が利用されている。しかし、肌は外部の刺激や物質から人体を保護する機能を持っていて水溶性成分についても不透過的な特性を表わすので、薬品や化粧品を肌に塗るだけで肌をケアすることは効果的ではないとして知られている。これに対して、従来には多様な方法のスキンケア装置が開発されている。
【０００３】
例えば、韓国特許公開第１９９６−６８９６号では電流を利用して肌の老廃物を除去する技術を開始していて、韓国特許公開第１９９９−４１２６３号では振動、低周波、ガルバニック、温熱やオゾンなどを利用した肌の管理技術を開始する。
しかし、開始された技術は、皮膚の血液循環を良くして肌の表面をきれいに洗浄することには依然効果が少なかった。
【先行技術文献】
【特許文献】
【０００４】
【特許文献１】韓国特許公開第１９９６−６８９６号
【特許文献２】韓国特許公開第１９９９−４１２６３号
【発明の概要】
【発明が解決しようとする課題】
【０００５】
これに対して、ハンドピースを利用して顔面皮膚に水を一定圧力以上に噴射して、肌を洗浄するとともに、その噴射された水でお肌をたたくように刺激して、皮膚の血液循環を良くする技術が研究された。しかし、この技術は噴射された水を処理することが困難という問題点を持っている。これに対して、水を噴射する機能と水を吸入する機能をすべて備えるハンドピースの必要性が台頭した。しかし、一般的な水噴射式ハンドピースは、噴射された水を十分に集めて継続的に吸入することはできない。
【０００６】
したがって、本発明が解決しようとする課題は、皮膚に水を一定の圧力以上に噴射して肌をケアし、それと同時に、肌に触れた後の水を水吸収体を利用して、集めて、これを再吸入するようにしたウォータージェットタイプスキンケア装置用ハンドピースを提供することである。
【課題を解決するための手段】
【０００７】
本発明の一側面によるウォータージェットタイプのスキンケア装置用ハンドピースは、ケース３１と；上記のケース３１の内部から上記のケース３１の前方に突出延長されたノズル本体３２と；上記ノズル本体３２に結合される皮膚の接触管３３と；上記の皮膚接触管３３内のスペースで、上記のノズル本体３２の全方面と接するように設置された中空型水吸収体３４を含み、上記ノズル本体３２は中央に形成された水噴射通路３２２と外郭に形成された複数の水吸収通路３２４を備えており、上記の水吸収体３４の中空内側にから上記の水ジェット通路３２２の先端に接続され、上記水の吸収通路３２４は上記中空型水吸収体３４と接している。
【０００８】
一実施例に基づいて、上記の皮膚接触チューブ３３は上記ノズル本体３２の外周面に分離可能に結合され、上記の水吸収体３４の全方面をより過ぎて延長され、内側に空いた空間を限定する。
【０００９】
一実施例に基づいて、上記ケース３１は前方がオープンされたケース本体３１２とリング型固定部３１３によって上記ケース本体３１２の前方に結合されているケース・キャップ３１４を含み、上記ケース本体３１２の内周面には、ＰＣＢ固定ホーム３１２２が形成され、上記ＰＣＢ固定ホーム３１２２によって環状ＰＣＢ３６の上記のケース本体３１２の内側面に結合され、上記の環状ＰＣＢ３６上に複数のＬＥＤ３７が実装され、上記ケース・キャップ３１４は上記ＬＥＤ３７から放射された光を透過するように透光性素材から成る。
【００１０】
一実施例に基づいて、上記複数のＬＥＤ３７は黄色のＬＥＤを含む。
【発明の効果】
【００１１】
本発明によると、皮膚に水を一定の圧力以上に噴射して肌をケアして、それと同時に、肌にぶつかった後の水を水吸収体を利用して、集めて、これを再吸引するようにしたウォータージェットタイプのスキンケア装置用ハンドピースが実装される。
【図面の簡単な説明】
【００１２】
【図１】本発明の一実施例によるウォータージェットタイプのスキンケア装置用ハンドピースを示す断面図である。
【図２】図１に示された本発明の一実施例によるハンドピースが適用されたウォータージェットタイプのスキンケア装置を示す構成図である。
【発明を実施するための形態】
【００１３】
以下、添付された図面を参照にして本発明の好適な実施例を説明する。添付された図面及びこれに関する説明は、当該技術分野で通常の技術を有する者にとって、本発明についての理解を助けるための意図で提示されたものである。
したがって、図面および説明が本発明の範囲を限定するものと解釈されてはならない。
【００１４】
図１は本発明の一実施例によるウォータージェットタイプのスキンケア装置用ハンドピースを示す断面図である。
【００１５】
図１を参照すると、本発明の一実施例によるハンドピース３０は手で掴むことができる中空のハンドル型のケース３１と上記のケース３１の内部から上記のケース３１の前方に突出延長されたノズル本体３２と上記ノズル本体３２の外周面に装着されて上記ノズル本体３２に結合される皮膚の接触管３３を含んでいる。また、上記ハンドピース３０は上記の皮膚接触チューブ３３内の収容空間で上記のノズル本体３２の前面と接するように設置された中空型水吸収体３４を含んでいる。
【００１６】
上記ノズル本体３２は中央に軸方向に長く形成された水噴射通路３２２を備えており、また、上記ノズル本体３２は上記水噴射通路３２２の外郭に複数の水の吸収通路３２４を備える。
【００１７】
噴射ノズル３２３が上記の水噴射通路３２２の先端に接続されるように、上記ノズル本体３２に結合され、上記複数の水の吸収通路３２４は上記の中空型の水吸収体３４と接している。上記の水吸収体３４は前述のように中空型構造で構成され、中央に中空を備え、上記の噴射ノズル３２３は上記中空型の水吸収体３４の中空内で上記ノズル本体３２と結合されている。
【００１８】
上記の皮膚の接触チューブ３３は上記ノズル本体３２の外周面に分離可能に結合されるが、その結合された状態で、上記水吸収体３４の前面をより過ぎ延長され、その中に空のスペースを限定する。上記の皮膚接触チューブ３３は人の皮膚、特に、顔面の皮膚と接触する端部面を含むが、その端部面は、傾斜面３３２から行われる。
【００１９】
上記のハンドピース３０は自分の水噴射通路３２２が以下説明されるハイブリッドポンプ（２０；図２参照）の駆動により一定圧力以上に供給される高圧の給水ラインと接続されているので、上記の水噴射通路３２２と関連付けられた噴射ノズル３２３を通じて高圧の水素水を噴射することができる。噴射された水（水素水）は皮膚と接触している皮膚との接触チューブ３３の内側空間で水吸収体３４に吸収される。上記の水吸収体３４はメラミンスポンジの材料からなることが好ましい。以下説明されるハイブリッドポンプ（２０；図２参照）の駆動は、水の噴射ポンプ作用と水の吸収励起作用を同時にするので、上記の水吸収体３４に吸収された水は、上記水の吸水通路３２４及び上記水の吸収通路３２４と関連付けられた退水ラインを通じて前述した退水部（４０；図２参照）に回収される。
【００２０】
以下に詳細に説明されているハイブリッドポンプ（２０；図２参照）の出力シャフト回転数比によって、水素水の噴射は、大きな力で断続的に行われて、上記の水吸収体３４からの水の吸収は、小さな力だが、着実にそして継続的に行われる。
【００２１】
一方、前述したケース３１は実在の人物がキャッチすることができて、前方がオープンされたケース本体３１２と，リング型固定部３１３によって、上記ケース本体３１２の前方に結合されているケース・キャップ３１４を含む。上記リング型固定部３１３の内周面前方端部には、前記ケース・キャップ３１４の外周面段差にかかる歩部３１３２が形成され、上記のリング型固定部３１３の内周面には、上記ケース本体３１２の外周面に形成された雄ねじ部と締結される雌ねじ部３１３４が形成されて、上記ケース本体３１２と上記ケース・キャップ３１４を取り外し可能に結合させる。
【００２２】
上記ケース本体３１２の内周面には、ＰＣＢ固定ホーム３１２２が形成され、上記ＰＣＢ固定ホーム３１２２によって環状ＰＣＢ３６が上記のケース本体３１２の内側面に結合される。上記の環状ＰＣＢ３６上に美白用波長の光（黄色光）を発する複数のＬＥＤ３７が実装される。上記ケース・キャップ３１４は上記ＬＥＤ３７から放射された光を透過するように透光性材質からなる。つまり、上記ケース・キャップ３１４は透光性キャップである。
【００２３】
上記ケース本体３１２の中央には、前述した水噴射通路３２２と前述した水の吸収通路３２４を別の経路に誘導して給水ラインと退水ラインにそれぞれ接続させる部材３８が設けられ、上記環状ＰＣＢ３６は上記の部材３８の外郭に収納配置される。
【００２４】
図２は図１に示された本発明の一実施例によるハンドピースが適用されたウォータージェットタイプのスキンケア装置を示す構成図である。
【００２５】
図２の示すように、ウォータージェットタイプのスキンケア装置は、前述したハンドピース３０と共に給水部１０とハイブリッドポンプ２０と退水部４０を含んでいる。
【００２６】
上記ハイブリッドポンプ２０は単一のモーター２１と給水入口ポート２２ａと給水流出ポート２２ｂと吸引ポート２３ａと排出ポート２３ｂを含んでいる。上記給水流入ポート２２ａは上記給水部１０と接続され、上記給水流出ポート２２ｂは上記のハンドピース３０の水噴射通路と接続されている。また、上記吸引ポート２３ａは上記のハンドピース３０の水吸引通路と配管またはホースに接続された退水部４０と空気圧吸引ラインによって接続され、上記排出ポート２３ｂは消音器５０と接続されている。
【００２７】
上記ハイブリッドポンプ２０は前述した一つのモーター２１が駆動し、上記ハンドピース３０に水を高圧で供給する給水及び高圧の汲み機能と、上記のハンドピース３０が噴射した水を再吸入する退水機能を同時に実行するように構成されている。つまり、上記ハイブリッドポンプ２０は上記モーター２１が駆動すると、上記の給水流入ポート２２ａを通じて上記給水部１０の水を吸引して上記の給水流出ポート２２ｂを通じて高圧の水を上記のハンドピース３０に供給し、そのハンドピース３０に水を噴射するようにしながら、それと同時に、上記吸引ポート２３ａを通じた吸引力によって上記のハンドピース３０の水を上記退水部４０に退水されるようにする。給水と流入に使用された圧縮空気は、排出ポート２３ｂを通じて外部に排出される。水の高圧ポンプと吸引に使用される圧縮空気は、排出ポート２３ｂを通じて外部に排出され、排出ポート２３ｂと接続された消音器５０によって圧縮空気排出時に発生する騒音は低減される。
【００２８】
上記給水部１０は原水タンク１２から受信した水を循環ポンプ１０ｂによって循環ライン１０ａを通じて循環させて、その循環過程で水素水を作って、上記ハイブリッドポンプ２０側に供給するように構成されたもので、そのために、上記原水タンク１２と接続された上記循環ライン１０ａと上記循環ライン１０ａに順番に設置された循環ポンプ１０ａと水素水製造モジュール１６並び水素水タンク１８を含む。本実施例では、上記原水タンク１２の出口ラインが、上記水素水タンク１８と上記循環ポンプ１０ｂのＩ間で前記循環ライン１０ａに接続され、上記循環ライン１０ａに通じた水素水循環によって、上記の水素水製造モジュール１６に製造された水素水が上記の水素水タンク１８内に蓄積される量が徐々に多くなり、これにより、水素水の濃度はより高くなることができる。一方、上記原水タンク１２の上流側には、活性（ａｃｔｉｖａｔｅｄ）されたカーボンを使用して、原水内の複数の不純物と微生物を吸着するカーボンフィルター１１が設置されることが出来る。
【００２９】
また、上記原水タンク１２と上記水素水製造モジュール１６の間には、沈澱フィルター１４と流量センサ１５が設置されることができる。上記流量センサ１５は上記原水タンク１２と上記水素製造モジュール１６の間で給水ラインを流れる水の流量を測定する。測定された流量に応じて、上記原水タンク１２の出口側バルブが制御され、流量が調節することができる。上記の水素水タンク１８は水素水製造モジュール１６に対して生成された水素（又は水素が豊富な水）を保存し、上記循環ポンプ１０ｂの駆動により循環ライン１０ａが活性化されている間に、上記の水素水タンク１８内の水、すなわち、水素水水素濃度はさらに高くなる。
【００３０】
上記の水素水製造モジュール１６の出口側で、上記の循環ライン１０ａから分岐されたホース又は配管の形のラインが、上記ハイブリッドポンプ２０の給水流入ポート２２ａと接続される。
【００３１】
そして、上記ハイブリッドポンプ２０の給水流出ポート２２ｂと上記ハンドピース３０の水噴射通路入口はホース又は配管によって連結される。以下詳細に説明されているように、前記ハンドピース３０は人の皮膚、特に、顔面の皮膚と接触したときに、皮膚との間に空間を形成する端部を含み、前述した水素水は、上記ハイブリッドポンプ２０の駆動により一定圧力で上記空間内に噴射され、人の肌を叩く。噴射された水素水は、上記空間内に設置され、水吸収体に吸収されたまま、上記ハイブリッドポンプ２０の同一駆動により退水部２０側に回収される。
【００３２】
上記の退水部４０は上記ハイブリッドポンプ２０の駆動によって回収された水を保存する退水タンク４２を含んでいる。上記ハンドピース３０の水吸引通路の出口は、配管またはホースであることができる退水ラインによって上記退水タンク４２と接続されている。また、上記の退水タンク４２は空気圧吸引ラインにより上記ハイブリッドポンプ２０の吸引ポート２３ａに接続される。上記ハイブリッドポンプ２０の駆動による吸引ポート２３ａの吸引力によって上記のハンドピース３０の水が上記の退水部４０の退水タンク４２に退水される。
【００３３】
上記の退水タンク４２に回収された水を受けることができる退水コップ４４が提供されることができる。
【００３４】
上記のハンドピース３０を通じた肌の表面への水素水噴射と、ハンドピース３０段部からの水の回収は、上記ハイブリッドポンプ２０のモーター２２駆動によって同時に行われ、上記ハイブリッドポンプ２０は上記のモーター２２驅動によって、お互いに異なる速さで回転する噴射ポンピング側出力シャフトと吸入ポンピング側出力シャフトを含む。噴射ポンピング側出力シャフトの回転数：吸入ポンピング側出力シャフトの回転数の割合は１：４で吸入ポンピング側出力シャフトの回転数がもっと大きい物がいい。これはハンドピース３０の段部を通じて水素水が噴射される力を高めることと同時にハンドピース３０の段部を通じた水の吸引は、小さな力で持続的に行われるようにしてくれる。
【００３５】
前述の実施例では肌を叩いてケアする水として、水素水を利用することが主に説明されたが、炭酸水、酸素水、オゾン水といった他の機能性水が単独で又は他の機能性水と一緒に利用されることもあり得ることは言うまでもない。
【符号の説明】
【００３６】
３０：ハンドピース、３１：ケース、３２：ノズル本体、３３：皮膚接触管、３４：水吸収体、３２２：水の噴射通路、３２４：水の吸収経路
【図１】
2015188756.tif 000003
【図２】
2015188756.tif 000004